【事件の表示】
　特許第３２５４８９１号「ガスバリア材」の請求項１に係る特許に対する特許異議の申立てについて、次のとおり決定する。
【結　論】
　特許第３２５４８９１号の請求項１に係る特許を維持する。
【理　由】
１．手続の経緯
　本件特許第３２５４８９１号は、平成６年３月３１日に出願され、平成１３年１１月３０日に設定登録（請求項の数１）されたところ、平成１４年８月９日に特許異議申立人株式会社ディスク（以下、「申立人」という）から特許異議の申し立てがされたものである。
　　
２．特許異議申立について
（１）本件発明
　特許第３２５４８９１号の請求項１に係る発明（以下、「本件発明」という）は、特許明細書の特許請求の範囲に記載された下記の事項により特定されるものと認められる。
【請求項１】高分子樹脂組成物からなる基材上に、１種以上の金属アルコキシド或いはその加水分解物と、分子中に少なくとも２個以上のイソシアネート基を有するイソシアネート化合物との混合溶液を主剤とし、かつ該主剤が塩化錫、メラミン或いはメラミン樹脂、ホルムアルデヒドから選ばれるいずれかを含むコーティング剤を塗布し、加熱乾燥してなるガスバリア性被膜層を形成してなることを特徴とするガスバリア材。
　　
（２）申立の理由の概要
　申立人は、甲第１号証（特開平１−２７８５７４号公報）、甲第２号証（日本接着協会編「接着ハンドブック」第２版、８９８頁〜８９９頁、１９９１年８月２３日、日刊工業新聞社発行）、甲第３号証（特開平５−３３１４１７号公報）、甲第４号証（特開昭４６−５６３８号公報）、甲第５号証（特開平５−６９６６１号公報）、甲第６号証（特開平５−４４０１５号公報）を提出して、
本件発明は、甲第１ないし６号証に記載された発明に基づいて当業者が容易に発明をすることができたものであるから、本件発明の特許は、特許法第２９条第２項の規定に違反してなされたものである、旨主張している。
　
（３）甲各号証の記載事項
甲第１号証には、
Ａ−１「（１）シリコンアルコキシド、アルコール、および酸を用いてＰＨ値４以下に調整した水を、所望の比率で混合することにより加水分解反応させた液に未硬化ウレタン系樹脂組成物を１〜９０重量％添加してなるコーティング剤を任意の基材にコーティングし、熱処理することを特徴とするコーティング層の形成方法。
（２）熱処理が、３０〜１７０℃の温度範囲および５分〜４時間の時間範囲で行われる請求項（１）に記載のコーティング層の形成方法。
（３）シリコンアルコキシド、アルコール、および酸を用いてＰＨ値を４以下に調整した水を、所望の比率で混合することにより加水分解反応させた液に未硬化ウレタン系樹脂組成物を１〜９０重量％添加してなるコーティング剤。」（特許請求の範囲）、
Ａ−２「本発明者らは金属アルコキシドに構造式Ｓｉ（ＯＣＨ３）４のテトラメトキシシランやＳｉ（ＯＣＨ２ＣＨ３）４のテトラエトキシシランを用い、上述したコーティング剤としての物理的欠損による難点をふまえ、コーティング液の組成及び製造法に関し総合的に検討した結果、ウレタン系樹脂を加水分解反応以後に添加、撹拌することにより、残存水分がウレタン結合生成により除去されること、分子結合による基材とコーティング層の接着性が相手基材に官能基がなくともある程度の密着性を発現させること、コート後の体積変化に対し部分的に三次元的に生じたウレタン結合が強度を持ち割れないことを見い出し、本発明に到達したものである。」（２頁左上欄１８行−２頁右上欄１０行）、
Ａ−３「酸触媒として塩酸を加えＰＨ値１．０に調整した水とメタノールにテトラエトキシシランをモルパーセントでテトラエトキシシラン：メタノール：水＝２７：２０：５３になるように加え常温で攪拌し反応させた。反応には５分後に始まりそれより２時間攪拌を続け反応を進行させ、一液型ウレタン系接着剤（タケダ薬品工業タケラックＡ−２６０）を酢酸エチルで固形分５０重量％の溶液とし、これを体積比２０％加えさらに３０分攪拌し反応させた。
　これをメイヤーバーでポリエステル１２μｍ厚上に塗布し３０分間常温乾燥後、１００℃に加温３０分間放置してコーティング膜を形成させた。このように得られた膜によって、……ガスバリア性の向上が見られた。」（３頁右上欄５行−左下欄１行）、
Ａ−４「本発明のコーティング層の形成方法およびそのコーティング剤は、以上のようなものであり、本発明によれば、得られるコーティング層は、水分および基体の遮断性に優れ、ウレタン系樹脂の混合により接着剤としての機能も有し、例えば合成樹脂フィルムや無機質板への親和性もあり、塗布が支障なく行なえる。
また、セラミック系のコーティング保護膜の形成手段としては、蒸着法、スパッタ法に比べて大規模な設備を必要とせず、大量生産向きである。」（３頁左下欄３−１２行）が記載されている。
　
甲第２号証には、
Ｂ−１「１０・４・３ウレタン系接着剤
……。
（１）ポリイソシアネート接着剤
……。
（２）一液型ポリマーおよびプレポリマー
……。末端ＮＣＯ型のプレポリマーは室温、湿分硬化型であり、……。」（８９９頁３−２４行）が記載されている。
　
甲第３号証には、
Ｃ−１「【請求項１】(1) 下記一般式(I) で示されるシラン化合物（Ａ）、
【化１】
［式中Ａ１はアルキレン基、Ｒ１は水素原子、低級アルキル基、または
【化２】
（式中Ａ２は直接結合またはアルキレン基を、Ｒ５，Ｒ６は水素原子または低級アルキル基を示す）で表わされる基、Ｒ２は水素原子または低級アルキル基、Ｒ３は同一または異なる低級アルキル基、アリール基または不飽和脂肪族残基、Ｒ４は水素原子、低級アルキル基またはアシル基を意味し（ただしＲ１，Ｒ２，Ｒ５，Ｒ６のうち少なくとも１つが水素原子である）、ｗは０、１、２のいずれか、ｚは１〜３の整数を表わす（ただしｗ＋ｚ＝３である）］
(2) 該シラン化合物（Ａ）の加水分解縮合物（Ｂ）、
(3) 該シラン化合物（Ａ）と下記一般式(II)で示される有機金属化合物（Ｃ）との共加水分解縮合物（Ｄ）
Ｒ７ｍＭ（ＯＲ８）ｎ 　…(II)
（式中Ｍは金属元素、Ｒ７は同一または異なっていてもよく、水素原子、低級アルキル基、アリール基または不飽和脂肪族残基を表わし、Ｒ８は水素原子、低級アルキル基またはアシル基を表わし、ｍは０または正の整数、ｎは１以上の整数でかつｍ＋ｎは金属元素Ｍの原子価と一致する）よりなる群から選択される１種以上のシラン化合物成分と、分子内にアミノ基と反応し得る官能基を２個以上有する化合物（Ｅ）、および溶媒（Ｆ）を含有することを特徴とする表面処理用組成物。
【請求項２】(1) 上記一般式(I) で示されるシラン化合物（Ａ）、
(2) 該シラン化合物（Ａ）の加水分解縮合物（Ｂ）、よりなる群から選択される１種以上のシラン化合物成分と、上記一般式(II)で示される有機金属化合物（Ｃ）および／もしくは該有機金属化合物の加水分解縮合物（Ｇ）と、分子内にアミノ基と反応し得る官能基を２個以上有する化合物（Ｅ）、および溶媒（Ｆ）を含有することを特徴とする表面処理用組成物。
【請求項３】 上記化合物（Ｅ）におけるアミノ基と反応し得る官能基が、エポキシ基である請求項１または２に記載の表面処理用組成物。
【請求項４】 用途が感熱熱転写熱スティック防止剤用塗料である請求項１〜３のいずれかに記載の表面処理用組成物。
【請求項５】 樹脂成形体表面の少なくとも片面を請求項１〜４のいずれかに記載の表面処理用組成物で処理した表面処理樹脂成形体。
【請求項６】 用途がガスバリヤ材である請求項５に記載の表面処理樹脂成形体。」（特許請求の範囲）が記載されるとともに、
Ｃ−２　段落００３０には、化合物（Ｅ）の具体例として、ヘキサメチレンジイソシアネート、キシリレンジイソシアネート等のイソシアネート類が、一例として記載されている。
  　
甲第４号証には、
Ｄ−１「平均分子量が１０００より大きい未端イソシアネートポリウレタンと、イソシアヌレート環を含み一分子当り平均２より多いイソシアネート基をもつ有機ポリイソシアネートとからなる中間樹脂コーテイングをフイルムと金属層との間にもつようにつくられている金属層でコーテイングされた有機熱可塑性フイルムからなる金属化されたフイルム。」（特許請求の範囲）、
Ｄ−２「本発明で用いるコーテイング樹脂は、その他の適当な材料をブレンドして変性することもできる。たとえば、コーテイングされたフイルムの耐水性は、この樹脂中に例えばメラミンホルムアルデヒドまたは尿素ホルムアルデヒドまたはエポキシ縮合物のような熱硬化性樹脂をブレンドすることによつて改良される。」（４頁左下欄１１行−４頁右下欄２行）、
Ｄ−３「処理表面またはフイルムの表面に樹脂のコーティングを施した後、金属層を設ける前にフイルムを乾燥することが必要である。この樹脂は乾燥の間に少なくとも部分的に硬化し、その結果ベースフイルムに接着し、金属層の適用によっても剥がれることはない。
　本発明の方法は配向されたフイルムに金属コーテイングを適用するのにとくに有用であり、……。同様に、フイルムへの金属層への接着を満足しつつも、このフイルムが遭遇する温度はできるだけ低いことが必要である。……。
　樹脂コーテイングがフイルム上で乾燥してしまってから、金属層がフイルム上に付着されるべきである。」（５頁左上欄３行−右上欄７行）が記載されている。
　
甲第５号証には、
Ｅ−１「【請求項１】 基材層表面上に磁気記録層、該磁気記録層の上に下引き層、該下引き層の上に金属蒸着層、該金属蒸着層の上に上引き層がこの順に存在する積層体において、該磁気記録層と下引き層との間、該下引き層と金属蒸着層との間及び該金属蒸着層と上引き層との間から選ばれる少なくとも１個所であって、媒体の少なくとも周縁部にトリミング層が存在することを特徴とする感熱磁気記録媒体。」（特許請求の範囲）、
Ｅ−２「上記下引き層４は金属蒸着層５の密着性を向上させると共に、加熱ヘッドで金属蒸着層５を加熱融解させて排除する為の層である。この種の材料としては、ビニル系、アクリル系又はウレタン系等の樹脂を用いることができる。また、蒸着後の金属蒸着層５の地色を白色に近付けて、印字部分（排除部分）の暗色とのコントラストを増大させる機能を果たす。該下引き層４の厚さは例えば、０．５〜３μｍ程度である。」（段落００２０）が記載されているとともに、
Ｅ−３　段落００２８には、塩化ビニル−酢酸共重合体、メラミン・ホルムアルデヒド縮合物及びイソシアネート系硬化剤からなる組成の塗料で下引き層を形成させたことが記載されている。
　
甲第６号証には、
Ｆ−１「【請求項１】 基材11と銀蒸着層13の間にアンダーコート層12が介在され、アンダーコート層12が、ポリエステルポリオールとイソシアネート系架橋剤の配合比が、５：１〜７：１である組成物、または一液硬化型アクリルメラミンとイソシアネート系架橋剤の配合比が、５：１〜７：１である組成物で形成されている銀蒸着粘着シート。」（特許請求の範囲）、
Ｆ−２「【発明の効果】この発明によれば、アンダーコート層により基材と銀蒸着層の密着力が向上させられるから、耐塩水性、耐熱性等の耐久性の良好な銀蒸着粘着シートが提供される。」（段落００１１）が記載されている。
　　
（４）当審の判断
　甲第１号証には、摘記事項Ａ−１ないしＡ−４の記載からみて、
酸触媒として塩酸を加えＰＨ値１．０に調整した水とメタノールにテトラエトキシシランをモルパーセントでテトラエトキシシラン：メタノール：水＝２７：２０：５３になるように加え常温で攪拌し反応させ、一液型ウレタン系接着剤を酢酸エチルで固形分５０重量％の溶液とし、これを体積比２０％加えさらに３０分攪拌し反応させたコーティング剤を、メイヤーバーでポリエステル１２μｍ厚上に塗布し３０分間常温乾燥後、１００℃に加温３０分間放置してガスバリア性のコーティング膜を形成させたガスバリア材が記載されている。
　本件発明と甲第１号証に記載された発明とを対比すると、
甲第１号証に記載された発明の、酸触媒として塩酸を加えＰＨ値１．０に調整した水とメタノールにテトラエトキシシランをモルパーセントでテトラエトキシシラン：メタノール：水＝２７：２０：５３になるように加え常温で攪拌し反応させたものは、本件発明の、１種以上の金属アルコキシドの加水分解物に相当し、甲第１号証に記載された発明の、一液型ウレタン系接着剤は、甲第２号証の記載からみて、本件発明の、分子中に少なくとも２個以上のイソシアネート基を有するイソシアネート化合物に相当するから、
両者は、高分子樹脂組成物からなる基材上に、１種以上の金属アルコキシドの加水分解物と、分子中に少なくとも２個以上のイソシアネート基を有するイソシアネート化合物との混合溶液を主剤とするコーティング剤を塗布し、加熱乾燥してなるガスバリア性被膜層を形成してなるガスバリア材である点で一致しているが、
本件発明が、主剤が塩化錫、メラミン或いはメラミン樹脂、ホルムアルデヒドから選ばれるいずれかを含むものであるのに対し、甲第１号証に記載された発明は、主剤に塩化錫、メラミン或いはメラミン樹脂、ホルムアルデヒドから選ばれるいずれかを含ませることを規定していない点で相違している。
　相異点について検討する。
　甲第３号証には、樹脂成形体表面をアミノアルキル基を有するアルコキシシラン化合物とジイソシアネートとの混合物からなる表面処理用組成物で処理したガスバリヤ材が記載されているものの、このアミノアルキル基を有するアルコキシシラン化合物は、本件特許明細書の「本発明でコーティング剤に用いられる金属アルコキシドは、テトラエトキシシラン〔……〕、トリイソプロポキシアルミニウム〔……〕などの一般式Ｍ（ＯＲ）ｎ（Ｍ：Ｓｉ、Ｔｉ、Ａｉ、Ｚｒ等の金属．Ｒ：ＣＨ３，Ｃ２Ｈ５等のアルキル基）で表せるものであり、予め水（……）を加え、加水分解させた溶液としても用いられる。」（段落００１９）の記載からみて、本件発明の金属アルコキシド或いはその加水分解物とは異なるものであり、さらに、この表面処理用組成物に塩化錫、メラミン或いはメラミン樹脂、ホルムアルデヒドから選ばれるいずれかを含ませることは記載も示唆もされていない。
　甲第４号証には、平均分子量が１０００より大きい未端イソシアネートポリウレタンと、イソシアヌレート環を含み一分子当り平均２より多いイソシアネート基をもつ有機ポリイソシアネートとからなる中間樹脂コーテイングにメラミンホルムアルデヒドをブレンドすること、及び、このブレンドによりコーテイングされたフイルムの耐水性が改良されることが記載されているが、この中間樹脂コーテイングは、接着剤であって（Ｄ−３参照）ガスバリヤー層を形成するものではないので、この記載が、相異点の１種以上の金属アルコキシドの加水分解物と、分子中に少なくとも２個以上のイソシアネート基を有するイソシアネート化合物との混合溶液中にメラミン等を含ませるという技術的事項を示唆するものとは認められない。
　さらに、甲第５号証には、基材層表面上に磁気記録層、下引き層、金属蒸着層、上引き層がこの順に存在する感熱磁気記録媒体において、塩化ビニル−酢酸共重合体、メラミン・ホルムアルデヒド縮合物及びイソシアネート系硬化剤からなる組成の塗料で下引き層を形成させたことが記載され、甲第６号証には、基材11と銀蒸着層13の間に介在する、アンダーコート層12が、一液硬化型アクリルメラミンとイソシアネート系架橋剤の配合比が、５：１〜７：１である組成物で形成されている銀蒸着粘着シートが記載されているが、甲第５号証に記載された下引き層及び甲第６号証に記載されたアンダーコート層は共に接着剤としての機能を有する層であって（Ｅ−２、Ｆ−２参照）ガスバリヤー層を形成するものではなく、これらの記載が、相異点に係る技術的事項を示唆するものとは認められない。
　そして、本件発明は、上記相異点に係る技術的事項を有することにより、特許明細書に記載された、高いガスバリア性を有し、かつ耐水性、耐湿性に優れ、さらに他の樹脂と積層しても、その強度は十分実用に耐えるものである等の効果を奏するものと認められる。
　したがって、本件発明は、甲第１ないし６号証に記載された発明に基づいて当業者が発明をすることができたものとは認められず、本件発明に係る特許は特許法第２９条第２項の規定に違反してなされたものであるとはいえない。
　
３．むすび
　以上のとおりであるから、申立人の特許異議申立の理由及び証拠によっては本件発明に係る特許を取り消すことはできない。
　また、他に本件発明に係る特許を取り消すべき理由を発見しない。
　よって、結論のとおり決定する。
【異議決定日】
平成１５年９月１９日（２００３．９．１９）